(57)【特許請求の範囲】
【請求項１】
複数のクライアントと接続され、送信元から受信した原稿を受信先の前記クライアントに配信してなる通信端末装置において、管理通番を付した原稿を受信し、受信した前記管理通番を付した原稿を受信先のクライアントに配信し、前記管理通番を付した前記クライアントの受領確認を受信して前記送信元に送信し、原稿の受信毎に管理通番に対応して作成した通信管理記録に、前記送信した受領確認の管理通番に対応する前記通信管理記録に受領確認済みを登録するとともに、前記通信管理記録を表示してなり、複数のクライアントに同一の受信原稿を配信したとき、前記複数のクライアントのすべてのクライアントが受信確認した後に一括して通信管理記録を表示することを特徴とする通信端末装置。
【発明の詳細な説明】
【０００１】
【発明の属する技術分野】
本発明は、ＬＡＮ（Ｌｏｃａｌ  Ａｒｅａ  Ｎｅｔｗｏｒｋ）等を介して複数のデータ処理装置に接続される、ファクシミリサーバ装置等の通信端末装置に関するものである。
【０００２】
【従来の技術】
最近の通信技術やコンピュータ技術の進展に伴い、種々の形態の通信ネットワークが提案されている。その一例として、ユーザ構内通信網（ＬＡＮ）に複数のクライアントとサーバを接続してなるクライアント／サーバシステムを、公衆電話網（ＰＳＴＮ；Ｐｕｂｌｉｃ  Ｓｕｂｓｃｒｉｂｅｒ  Ｔｅｌｅｐｈｏｎｅ  Ｎｅｔｗｏｒｋ）やサービス総合デジタル網（ＩＳＤＮ；Ｉｎｔｅｇｒａｔｅ  Ｓｅｒｖｉｃｅ  Ｄｉｇｉｔａｌ  ｎｅｔｗｏｒｋ）で結合して情報の伝送を行う通信ネットワークが知られている。このようなクライアント／サーバシステムのクライアントにパーソナルコンピュータ（ＰＣ）等のデータ処理装置、サーバにファクシミリサーバ装置を用いて、クライアントのデータ処理装置からファクシミリサーバ装置を介してファクシミリ送信を行うクライアント／サーバシステムも知られている。
【０００３】
上述のようなクライアント／サーバシステムでは、ファクシミリデータは各データ処理装置で作成され、ファクシミリサーバ装置へ送られる。ファクシミリサーバ装置は、各データ処理装置からの指令に基づいて、ファクシミリデータをＰＳＴＮやＩＳＤＮを介して相手先のファクシミリ装置やファクシミリサーバ装置へ送信する。また、ＰＳＴＮやＩＳＤＮを介して、相手先のファクシミリ装置やファクシミリサーバ装置からファクシミリデータを受信したことを、データ処理装置へ通知する。
【０００４】
ファクシミリデータは、文字や図形を含むイメージデータとして形成されているので、データ量が多くなり、大量のファクシミリデータを記憶するには記憶容量の大きな記憶装置が必要となる。そのため、ファクシミリサーバ装置はハードディスク等の大容量記憶装置を備えている。
【０００５】
ファクシミリサーバ装置には、ファクシミリデータに対応してその送信元ユーザ、送信先ユーザ、受信先ユーザ、通信の日時等の通信管理記録が作成されて前記のようにハードディスク等の記憶装置に記憶されている。このように通信管理記録を作成して保存することにより、ファクシミリ通信のデータ管理が行われている。
【０００６】
【発明が解決しようとする課題】
従来のファクシミリサーバ装置の通信管理記録には、前記のようにファクシミリ通信の履歴（送信や受信の日時等）が記録されている。しかしながら、原稿となるファクシミリデータを送信先のファクシミリサーバ装置に送信した際に、送信先のファクシミリサーバ装置がこのファクシミリデータを受領したかどうかを確認することができないという問題があった。また、送信元のファクシミリサーバ装置から受信したファクシミリデータについて、受信先ユーザが受領したことの確認ができないという問題があった。
【０００７】
また、電子メールにおいては、特定の通信端末装置に原稿を送信した際に、送信先の通信端末装置で原稿を開封すると、原稿の受領確認を送信元の通信端末装置に自動的に返送する構成のものがある。しかしながら、この場合にも多数の原稿があるときに、どの原稿に対する受領確認であるのかは特定されない。電子メールにおいても通信端末装置には原稿の送信記録及び受信記録が表示されるが、原稿毎の送信と受領確認との対応が取られていないために、送信した原稿が受信先で受領されたかどうかが確認できないという問題があった。
【０００８】
このように従来においては、通信端末装置によりファクシミリデータや電子メールの原稿を送信し、また受信する際に、原稿の受領についての確認手段が設けられていないために、通信毎の原稿受領の状況が判断できないという問題があった。
【０００９】
本発明は、上記の問題に鑑みてなされたものであり、通信端末装置間で原稿の送信、受信がなされる際に、通信毎の原稿受領の状況が判断できる通信端末装置の提供を目的とする。
【００１２】
【課題を解決するための手段】
本発明では、通信端末装置を、複数のクライアントと接続され、送信元から受信した原稿を受信先の前記クライアントに配信してなる通信端末装置において、管理通番を付した原稿を受信し、受信した前記管理通番を付した原稿を受信先のクライアントに配信し、前記管理通番を付した前記クライアントの受領確認を受信して前記送信元に送信し、原稿の受信毎に管理通番に対応して作成した通信管理記録に、前記送信した受領確認の管理通番に対応する前記通信管理記録に受領確認済みを登録するとともに、前記通信管理記録を表示してなり、複数のクライアントに同一の受信原稿を配信したとき、前記複数のクライアントのすべてのクライアントが受信確認した後に一括して通信管理記録を表示してなる構成としている。
【００１５】
本発明においては、複数のクライアントに同一の受信原稿を配信したとき、前記複数のクライアントのすべてのクライアントが受信確認した後に一括して通信管理記録を表示するので、各クライアントのすべてが受信確認を行っていることを一目して知ることができる。
【００１６】
【発明の実施の形態】
以下、本発明に係る通信端末装置の実施の形態について図により説明する。図６は、本発明の通信端末装置が使用されるシステムの一形態を示す概略のブロック図である。図６において、１Ａ、１Ｂは、ユーザ構内通信網（ＬＡＮ）７Ａ、７Ｂに複数のクライアントとサーバの通信端末装置を接続したクライアント／サーバシステムである。クライアント／サーバシステム１Ａにおいて、ＬＡＮ７Ａには、本発明の通信端末装置であるファクシミリサーバ装置（以下、各図においてファクシミリサーバ装置をＦＡＸサーバと略記する）２Ａ、クライアントＰＣ３Ａ、４Ａ、５Ａ、プリンタサーバ６Ａが接続される。
【００１７】
また、クライアント／サーバシステム１Ｂにおいて、ＬＡＮ７Ｂには、ファクシミリサーバ装置２Ｂ、クライアントＰＣ３Ｂ、４Ｂ、５Ｂ、プリンタサーバ６Ｂが接続される。これらのクライアント／サーバシステム１Ａ、１Ｂは、例えば工場、事務所、店舗等に設置される。
【００１８】
ファクシミリ装置９は従来の単体で使用される形式のものである。これらのクライアント／サーバシステム１Ａ、１Ｂ、及びファクシミリ装置９は、公衆電話網（ＰＳＴＮ）またはサービス総合デジタル網（ＩＳＤＮ）８により接続される。図６のシステムでは、ＰＳＴＮまたはＩＳＤＮ８で接続されたファクシミリサーバ装置２Ａ、２Ｂ、ファクシミリ装置９は、通信ネットワーク上で相互にファクシミリ通信を行う。
【００１９】
図６に示す構成で、ファクシミリデータはファクシミリサーバ装置２Ａとファクシミリサーバ装置２Ｂ間で相互に送信、受信がなされるものとする。ファクシミリサーバ装置２Ａを基準にすると、ファクシミリサーバ装置２Ａからファクシミリサーバ装置２Ｂにファクシミリデータを送信する場合には、ファクシミリサーバ装置２Ａが「送信元」、ファクシミリサーバ装置２Ｂが「送信先」となる。また、例えばクライアントＰＣ３Ａにログオンしてファクシミリデータの送信を指示するユーザが「送信元ユーザ」、ファクシミリサーバ装置２Ａからファクシミリサーバ装置２Ｂを介して送信されるファクシミリデータを、クライアントＰＣ３Ｂにログオンして受信するユーザが「送信先ユーザ」となる。
【００２０】
ファクシミリサーバ装置２Ｂからファクシミリサーバ装置２Ａへ送信されたファクシミリデータを受信する場合には、ファクシミリサーバ装置２Ｂが「送信元」、ファクシミリサーバ装置２Ａが「送信先」となる。また、例えばクライアントＰＣ３Ｂにログオンしてファクシミリデータの送信を指示するユーザが「送信元ユーザ」であり、クライアントＰＣ３Ａにログオンしてファクシミリサーバ装置２Ａから配信されたファクシミリデータを受信するユーザが「受信先ユーザ」となる。
【００２１】
図７は、図６に示したようなシステムに用いられるファクシミリサーバ装置間で送受信される情報の流れの一例を示す説明図である。図７では、情報の流れを（ａ０）〜（ｆ０）のフローで示している。次にこのフローについて説明する。（ａ０）ではクライアント／サーバシステム１ＡのクライアントＰＣ３Ａ（「送信元ユーザ」）から、ファクシミリサーバ装置２Ａ（「送信元」）に対して、クライアント／サーバシステム１Ｂのファクシミリサーバ装置２Ｂ（「送信先」）に、クライアントＰＣ３Ｂ（「送信先ユーザ」）が受信するファクシミリデータを送信するように指示する。
【００２２】
（ｂ０）ではファクシミリサーバ装置２Ａは、ＰＳＴＮまたはＩＳＤＮ８を通してクライアント／サーバシステム１Ｂの送信先ファクシミリサーバ装置２Ｂにファクシミリデータを送信する。この際に、送信元のファクシミリサーバ装置２Ａは送信先ファクシミリサーバ装置２Ｂに対して受領確認の送信を要求する。（ｃ０）では、ファクシミリサーバ装置２Ｂは、送信先ユーザであるクライアントＰＣ３Ｂに対してファクシミリデータの受信を通知する。クライアントＰＣ３Ｂはファクシミリデータの内容が送信先ユーザにより確認されると、（ｄ０）でファクシミリサーバ装置２Ｂにファクシミリデータを受領したことを通知する。
【００２３】
（ｅ０）でファクシミリサーバ装置２Ｂは、ＰＳＴＮまたはＩＳＤＮ８を通してファクシミリサーバ装置２Ａに対して当該ファクシミリデータの受領確認を送信する。（ｆ０）でファクシミリサーバ装置２Ａは、当該のファクシミリデータがファクシミリサーバ装置２Ｂで受領確認された旨を送信元ユーザのクライアントＰＣ３Ａに通知する。
【００２４】
上記のように図７の例では、ファクシミリサーバ装置２Ｂは送信先ユーザであるクライアントＰＣ３Ｂにファクシミリデータを配信し、クライアントＰＣ３Ｂからのファクシミリデータの受領通知により、送信元ファクシミリサーバ装置２Ａに受領確認を送信する構成としている。
【００２５】
図１は、図６、図７で説明した本発明の通信端末装置であるファクシミリサーバ装置２Ａの構成の一例を示す概略のブロック図である。図１において、２１は各種信号やデータを処理するための中央処理装置（以下、ＣＰＵと略記する）、２２はファクシミリサーバ装置２Ａの各種動作に必要なデータやプログラム格納されるＲＯＭ、２３は管理データ等が格納されるＲＡＭである。
【００２６】
２４は受信したファクシミリデータを記録紙に出力するプリンタ、２５は原稿を読み取り、白黒２値のイメージデータであるファクシミリデータを出力する読取部、２６はキーボードやマウス等からなる操作部である。ファクシミリサーバ装置２Ａは、ネットワークインターフェイス（Ｉ／Ｆ）２７によりＬＡＮ７Ａに接続される。
【００２７】
また、ファクシミリサーバ装置２Ａは、サービス総合デジタル網（ＩＳＤＮ）のインターフェイス（Ｉ／Ｆ）２８、デジタル回線終端装置（ＤＳＵ）２９を介してＩＳＤＮに接続される。また、回線制御部（ＮＣＵ）３０を介してＰＳＴＮに接続される。３１は相手先のファクシミリ装置との間でＰＳＴＮを介して送受信されるファクシミリデータを変調．復調するモデムであり、モデム３１とＮＣＵ３０とはアナログ信号線３１ａで接続される。
【００２８】
符号・復号部３２は、送信するファクシミリデータを符号化し、受信したファクシミリデータを復号化する。図形文字発生部３３は、文字コードデータをイメージデータに変換する。３４は陰極線管（ＣＲＴ）や液晶表示器（ＬＣＤ）を用いた表示部、３５はファクシミリデータに日時を記入するために用いる時計部、３６は通信管理記録とファクシミリデータを記憶するハードディスク（ＨＤ）、３７は内部バスである。
【００２９】
ファクシミリサーバ装置２Ａは、前記のようにハードディスク（ＨＤ）３６の特定の記憶領域に、ファクシミリ通信されるファクシミリデータを通信管理記録と対応させて記憶している。本発明においては、ファクシミリデータの送信記録に受領確認の受信状況を対応させた通信管理記録を形成して記憶、表示し、ファクシミリデータの受信記録に受領確認の送信状況を対応させた通信管理記録を形成して記憶、表示する構成としている。このようなデータ処理は、ＣＰＵ２６により実行される。
【００３０】
図２は、送信元となるファクシミリサーバ装置２Ａの表示部に受領確認を表示する一例を示す説明図であり、図示左側の欄にフォルダのツリーが表示される。図２では、ファクシミリデータの送信記録に受領確認の受信状況を対応させた通信管理記録を形成する例を示している。操作部２６のマウス等によりフォルダの送信ログを選択すると、表示部には図示のように、「送信先」、「送信先ユーザ」、「送信元ユーザ」、「受領確認」、「日時」、「結果」の項目でリストビューラベルが表示される。
【００３１】
このリストビューラベル下部の表示面には、ファクシミリデータが送信された日時の新しいものから古いものへの順に、各項目についての通信管理記録が表示される。「送信先」、「送信先ユーザ」、「送信元ユーザ」の項目の表示は、図６で説明した例と対応している。
【００３２】
図２において、送信元のファクシミリサーバ装置２Ａが送信先のファクシミリサーバ装置２Ｂにファクシミリデータを送信し、ファクシミリサーバ装置２Ｂからファクシミリサーバ装置２Ａにそのファクシミリデータの受領確認が送信されてくると、ファクシミリサーバ装置２Ａの受信ログ及び対応する送信ログに登録される。この受領確認の状況は図示のマークで表示される。
【００３３】
図３は、送信先となるファクシミリサーバ装置２Ａの表示部に受領確認を表示する例を示す説明図である。図３の例では、ファクシミリデータの受信記録に受領確認の送信状況を対応させた通信管理記録を形成する例を示している。操作部２６のマウス等によりフォルダの受信ログを選択すると、表示部には図示のように、「送信元」、「送信元ユーザ」、「受信先ユーザ」、「受領確認」、「日時」、「結果」の項目でリストビューラベルが表示される。
【００３４】
このリストビューラベル下部の表示面には、ファクシミリデータが受信された日時の新しいものから古いものへの順に、各項目についての通信管理記録が表示される。「送信元」、「送信元ユーザ」、「受信先ユーザ」の項目の表示は、図６で説明した例と対応している。
【００３５】
図３において、送信元のファクシミリサーバ装置２Ｂから送信されるファクシミリデータを、送信先のファクシミリサーバ装置２Ａが受信して、そのファクシミリデータを受信先ユーザとなるクライアントＰＣ３Ａに配信し、送信先のファクシミリサーバ装置２Ａが受領確認を送信元のファクシミリサーバ装置２Ｂに送信すると、送信ログに受領確認を送信したことが登録される。また、対応する受信ログにも受領確認を送信したことが登録される。この受領確認の状況は図示のマークで表示される。
【００３６】
図４は、図２で説明した送信元となるファクシミリサーバ装置２Ａの送信ログに受領確認を表示するシーケンス（ａ１）〜（１１）の説明図である。次に図４のシーケンスについて説明する。（ａ１）で送信元ユーザのクライアントＰＣ３Ａは、ファクシミリデータの原稿を作成し、送信先ユーザとなるクライアントＰＣ３Ｂを選択し、送信元のファクシミリサーバ装置２Ａに送信指示を行う。
【００３７】
（ｂ１）で送信元のファクシミリサーバ装置２Ａは、送信指示されたファクシミリデータの通信管理記録を送信予約ログに登録し、（ｃ１）で当該のファクシミリデータに対して管理通番を採番して通信管理記録と対応させる。（ｄ１）で管理通番が付されたファクシミリデータを送信先のファクシミリサーバ装置２Ｂに送信する。その後（ｅ１）で管理通番が付されたファクシミリデータの通信管理記録を、送信予約ログから削除し送信ログに登録する。
【００３８】
（ｆ１）で送信先のファクシミリサーバ２Ｂはファクシミリデータを受信し、送信先ユーザとなるクライアントＰＣ３Ｂに配信する。送信先ユーザのクライアントＰＣ３Ｂからのファクシミリデータを受領したことの通知がなされると、（ｇ１）で送信先のファクシミリサーバ装置２Ｂは、送信元のファクシミリサーバ装置２Ａから受信したファクシミリデータに付されていた管理通番を指定した受領確認を、送信元のファクシミリサーバ装置２Ａへ送信する。
【００３９】
（ｈ１）で送信元のファクシミリサーバ装置２Ａは受領確認を受信し、（ｉ１）で受信ログに登録する。次に（ｊ１）で受領確認の受信がなされたかどうかを確認する。（ｊ１）の処理は（ｈ１）の処理がファクシミリデータの受信ではなく、ファクシミリデータの受領確認の受信であることを確認するためになされる。受領確認の受信であれば（ｋ１）に進むが、ファクシミリデータの受信であれば後述の図５の（ｆ２）以降の処理と同様になるので、ここでの説明は省略する。
【００４０】
（ｋ１）で送信元のファクシミリサーバ装置２Ａは、受信した受領確認に指定されていた管理通番に基づいて、送信ログに登録された複数の通信管理記録から管理通番の一致する通信管理記録に、受領確認を受信したことを登録し、（ｌ１）で受領確認のマークを表示する。
【００４１】
このように、送信元のファクシミリサーバ装置２Ａがファクシミリデータに管理通番を付して送信先のファクシミリサーバ装置２Ｂへ送信し、送信先のファクシミリサーバ装置２Ｂがその管理通番が指定された受領確認を送信元のファクシミリサーバ装置２Ａへ送信する。これによって、送信元のファクシミリサーバ装置２Ａは、送信ログに登録された多数の通信管理記録の中で、どの通信管理記録についての受領確認を受信したかを特定することができる。管理通番はファクシミリデータの送信毎にユニークな値をとる。
【００４２】
なお、上記（ｇ１）の処理で、送信先のファクシミリサーバ装置２Ｂから送信元のファクシミリサーバ装置２Ａに対する受領確認の送信は、送信先のファクシミリサーバ装置２Ｂがファクシミリデータの受領を確認した時点で、送信元のファクシミリサーバ装置２Ａに送信するようにしたが、これに限らず、送信元のファクシミリサーバ装置２Ａから送信先のファクシミリサーバ装置２Ｂへの定期的な問い合わせに応答するポーリング送信により行うことも可能である。
【００４３】
図５は、図３で説明した送信先となるファクシミリサーバ装置２Ａの受信ログに受領確認を表示するシーケンス（ａ２）〜（ｏ２）の説明図である。次に図５のシーケンスについて説明する。（ａ２）で送信元のファクシミリサーバ装置２Ｂは、ファクシミリデータに管理通番を付して送信先のファクシミリサーバ装置２Ａに送信する。（ｂ２）で送信先のファクシミリサーバ装置２Ａが管理通番が付されたファクシミリデータを受信し、（ｃ２）で受信ログに登録する。
【００４４】
（ｄ２）で送信先のファクシミリサーバ装置２Ａは、受領確認の受信であるか、ファクシミリデータの受信であるかを判断する。受領確認の受信であれば（ｅ２）、図４の（ｋ１）以降の処理と同様になるので、ここでの説明は省略する。受領確認の受信ではなく、ファクシミリデータの受信であれば（ｆ２）、ファクシミリサーバ装置２ＡとＬＡＮ７Ａを介して接続されている受信先ユーザのクライアントＰＣ３Ａ、４Ａに、ファクシミリデータを受信したことを通知する。
【００４５】
以下複数の受信先ユーザの各クライアントＰＣ３Ａ、４Ａとファクシミリサーバ装置２Ａとの間で個別に処理が進行するが、クライアントＰＣ３Ａとファクシミリサーバ装置２Ａとの間の処理を例にして説明する。（ｇ２）でクライアントＰＣ３Ａはファクシミリデータをファクシミリサーバ装置２Ａに要求し、（ｈ２）でファクシミリサーバ装置２ＡはクライアントＰＣ３Ａに管理通番を付したファクシミリデータを配信する。
【００４６】
（ｉ２）でクライアントＰＣ３Ａは管理通番が付されたファクシミリデータを開封し、読了してから、読了した旨を管理通番を指定してファクシミリサーバ装置２Ａに通知する。（ｊ２）でファクシミリサーバ装置２ＡはクライアントＰＣ３Ａの読了通知を受信し、（ｋ２）で送信元のファクシミリサーバ装置２Ｂに管理通番を指定してファクシミリデータの受領確認を送信する。
【００４７】
（ｌ２）で送信元のファクシミリサーバ装置２Ｂはこの受領確認を受信する。送信先のファクシミリサーバ装置２Ａは、（ｍ２）で送信した受領確認の通信管理記録を送信ログに登録し、（ｎ２）でクライアントＰＣ３Ａから受信した管理通番と一致する受信ログに、受領確認を送信したことを登録して（ｏ２）で受領確認のマークを表示する。
【００４８】
送信先のファクシミリサーバ装置２Ａは、送信元のファクシミリサーバ装置２Ｂから受信した管理通番及びファクシミリデータをクライアントＰＣ３Ａへ送信し、クライアントＰＣ３Ａはファクシミリデータが開封されると、その管理通番を送信先のファクシミリサーバ装置２Ａへ送信する。これによって、送信先のファクシミリサーバ装置２Ａは受信ログに登録された多数の通信管理記録の中から、どの通信管理記録についての受信確認を受信したかを特定することができる。
【００４９】
各受信先ユーザであるクライアントＰＣ３Ａ、４Ａから、送信先のファクシミリサーバ装置２Ａに対するファクシミリデータの読了通知は、ファクシミリデータの開封、読了の時点で行う方法と、送信先のファクシミリサーバ装置２Ａから、各受信先ユーザに対する定期的な問い合わせに応答するポーリング送信の方法がある。いずれの方法によるかは、ファクシミリデータの送信時に各受信先ユーザに指定される。
【００５０】
上記の例では、受領確認のマークをファクシミリサーバ装置２Ａの表示部の画面に表示させているが、受領確認をプリンタにより印字させ、印刷した文字により表示する構成とすることも可能である。また、受領確認結果に関しては、「読了」、「未読」、「タイムアウト」等の情報を表示させる構成とすることができる。更に、複数の受信先ユーザにファクシミリデータが配信された場合には、個別の受信先ユーザ毎に受領確認を表示させる構成の他に、すべての受信先ユーザの受領確認がなされてから一括して表示する構成とすることもできる。
【００５１】
図４、図５の処理は、通信端末装置としてファクシミリサーバ装置を用いた場合の処理の例であるが、本発明はこのような例には限定されない。送信または受信した原稿の受領確認の受信記録または送信記録を通信管理記録に対応させ、通信毎の原稿受領の状況を判断する本発明の構成は、電子メールで原稿の送信と受信を行う通信端末装置にも適用できる。
【００５４】
【発明の効果】
本発明では、複数のクライアントに同一の受信原稿を配信したとき、前記複数のクライアントのすべてのクライアントが受信確認した後に一括して通信管理記録を表示するので、各クライアントのすべてが受信確認を行っていることを一目して知ることができる。
【図面の簡単な説明】
【図１】本発明の実施の形態の通信端末装置であるファクシミリサーバ装置を示すブロック図である。
【図２】ファクシミリサーバ装置に受領確認を表示する一例を示す説明図である。
【図３】ファクシミリサーバ装置に受領確認を表示する他の例を示す説明図である。
【図４】送信ログへ受領確認を表示するシーケンスの説明図である。
【図５】受信ログへ受領確認を表示するシーケンスの説明図である。
【図６】本発明の通信端末装置が使用されるシステムの一形態を示す概略のブロック図である。
【図７】図６の通信ネットワーク間で送受信される情報の流れの一例を示す説明図である。
【符号の説明】
１Ａ、１Ｂ  クライアント／サーバシステム
２Ａ、２Ｂ  ファクシミリサーバ装置
３Ａ〜５Ａ  クライアントパーソナルコンピュータ（ＰＣ）
３Ｂ〜５Ｂ  クライアントパーソナルコンピュータ（ＰＣ）
６Ａ、６Ｂ  プリンタサーバ
７Ａ、７Ｂ  ユーザ構内通信網（ＬＡＮ）
８    公衆電話網（ＰＳＴＮ）またはサービス総合デジタル網（ＩＳＤＮ）
９    従来構成のファクシミリ装置
２１    中央処理装置（ＣＰＵ）
２６    操作部
３４    表示部
３６    ハードディスク（ＨＤ）
３７    内部バス
【図１】
0003711742.tif 000002
【図２】
0003711742.tif 000003
【図３】
0003711742.tif 000004
【図４】
0003711742.tif 000005
【図５】
0003711742.tif 000006
【図６】
0003711742.tif 000007
【図７】
0003711742.tif 000008